(57)【特許請求の範囲】
【請求項１】
扉と、棚板と、扉保持部材とを備え、扉は閉じた状態で下端が棚板に載置してあり、扉保持部材は扉を上下方向にスライド自在に保持しており、扉は扉保持部材にガイドされて棚板より下方へスライドすることで開くことを特徴とする陳列棚。
【請求項２】
扉と、棚板と、扉保持部材とを備え、扉は閉じた状態で下端が棚板の載置面よりも前側に位置するように棚板に載置してあり、扉保持部材は扉を上下方向にスライド自在に保持しており、扉は扉保持部材にガイドされて棚板より下方へスライドすることで開くことを特徴とする陳列棚。
【発明の詳細な説明】
【技術分野】
【０００１】
本発明は、陳列棚に関する。
【背景技術】
【０００２】
一般に、陳列棚で陳列している商品が少なくなったときに、その商品を倉庫まで取りに行かなくて済むように、陳列棚の最上棚の上に補充する為の商品（補充品）を載せていた。
【先行技術文献】
【特許文献】
【０００３】
【特許文献１】なし
【発明の概要】
【発明が解決しようとする課題】
【０００４】
しかし、陳列棚に補充品を載せただけでは、補充品が顧客の目に触れるため、見栄えが悪いという問題があった。
【０００５】
そこで、本発明は、補充品を保持できると共に見栄えの良い陳列棚の提供を目的とする。
【課題を解決するための手段】
【０００６】
請求項１に記載の発明は、扉と、棚板と、扉保持部材とを備え、扉は閉じた状態で下端が棚板に載置してあり、扉保持部材は扉を上下方向にスライド自在に保持しており、扉は扉保持部材にガイドされて棚板より下方へスライドすることで開くことを特徴とする陳列棚である。
請求項２に記載の発明は、扉と、棚板と、扉保持部材とを備え、扉は閉じた状態で下端が棚板の載置面よりも前側に位置するように棚板に載置してあり、扉保持部材は扉を上下方向にスライド自在に保持しており、扉は扉保持部材にガイドされて棚板より下方へスライドすることで開くことを特徴とする陳列棚である。
【発明の効果】
【０００７】
請求項１に記載の発明によれば、扉で棚板に載せてある補充品を隠しているので見栄えが良い。  
閉じ位置にある扉を開くときには、棚板に載置してある扉の下端を押し上げて棚板の前側へずらして棚板から外し、扉を扉保持部材に沿って下方にスライドさせて開き、扉を閉じるときには、開き位置にある扉の下端を押し上げて棚板に載せることで、扉の開閉操作が容易にできる。  
特に、扉の開閉は扉の下端を棚板から外したり押し上げたりする操作だけ済むから、扉が高い位置にある場合でも手が届き易く、操作性が良い。  
【図面の簡単な説明】
【０００８】
【図１】本発明の実施の形態にかかる陳列棚の最上段の側面図であって、（ａ）は扉が閉じ位置にある状態であり、（ｂ）は扉が開き位置にあるときの状態である。
【図２】扉を後側から見た斜視図である。
【図３】図１（ａ）に示す陳列棚の平面図である。
【図４】図１（ａ）に示す陳列棚の正面図である。
【図５】図１に示す陳列棚の組み立て手順を説明する分解斜視図である。
【図６】本発明の実施の形態にかかる陳列棚の全体を示す正面図である。
【図７】本発明の実施の形態にかかる陳列棚の変形例を示す側面図である。
【発明を実施するための形態】
【０００９】
以下に、添付図面の図１〜図６を参照して、本発明の実施の形態を説明する。  
本発明の実施の形態にかかる陳列棚１は、図６に示すように、左右の支柱３と、支柱３に着脱自在に取り付けた複数の棚板５を備え、各棚板５で複数の段７ａ、７ｂを形成している。最上段７ａを除く各段７ｂの棚板５には、商品（図示せず）が陳列してあり、最上段７ａは、収納庫９を形成しており、陳列する商品を補充する補充品（図示せず）を収納している。  
図１及び図４に示すように、収納庫９には、前述した棚板５と、扉１１と、扉保持部材１３が設けてある。  
棚板５は、左右の支柱３の被係止部３ａに係止した棚板ブラケット５ａに載置してあり、上下方向の任意の位置で支柱３に取り付けてある。  
図１（ａ）に示すように、扉１１は、支柱３の前側に設けてあり、図２に示すように、枠体１５とパネル１７とを備えている。  
【００１０】
枠体１５は、上枠１９と、下枠２１と、左右の縦枠２３、２３を連結してあり、上枠１９には下側を開口したパネル装着溝１９ａが形成してあり、下枠２１には上側を開口したパネル装着溝２１ａが形成してある。  
パネル１７は、上枠１９のパネル装着溝１９ａと下枠２１のパネル装着溝２１ａに左右方向一方側から挿入して枠体１５に装着してある。このパネル１７には表面（前側面）に商品の名称等の文字や商品の写真等の図形が描かれている。  
左右の縦枠２３の上端部には、後方に向けて突設した腕部２５が設けてあり、腕部２５の後端部には扉保持部材１３に係合する係合部２７が設けてある。係合部２７は扉保持部材１３に対して上下方向にスライド自在に係合している。本実施の形態では係合部２７は、腕部２５の後端部に形成した孔２５ａに円筒形状の樹脂材からなる被ガイド部材２９を嵌めてある。  
【００１１】
図３及び図４に示すように、扉保持部材１３は、最上段７ａの左右両側に設けてある。図１及び図５に示すように、各扉保持部材１３は、線材であり、下側ほど前側に傾斜したガイド部１３ａを有し、ガイド部１３ａの下端は扉受け３１に固定してある。図５に示すように、扉受け３１は板状であり、前側に上方に突設した扉係合部３１ａを有し、後側に取付け孔部３１ｂを有し、取付け孔部３１ｂを棚板５の表面に列設してある被取付け孔部５ｂに樹脂リベット３３で固定している。被取付け孔部５ｂは、棚板５に設けてある仕切り板取付用の孔部である。  
図１及び図５に示すように、扉保持部材１３の上部１３ｃは、後方に向けて水平方向に設けてあり、上部１３ｃの後端部には下方に向けて突設した係合部１３ｂが設けてある。一方、支柱３には扉保持部材ブラケット３５が係止してあり、この扉保持部材ブラケット３５には上下方向の孔を形成した筒部材３７が固定してあり、筒部材３７に扉保持部材１３の係合部１３ｂを上から挿入して係合してある。  
【００１２】
次に、図５を参照して、扉１１と、扉保持部材１３との組み付けについて説明する。左右の扉保持部材１３について、各扉保持部材１３の下端を固定した扉受け３１を棚板５の上面に載置し、樹脂リベット３３で棚板５の被取り付け孔部５ｂに固定する。  
その後、扉１１を上下反転して腕部２５を下側にすると共に扉１１の裏側（腕部２５がある側）を前側に向けた状態で、扉保持部材１３の後端部に設けた係合部１３ｂに腕部２５に取り付けてある被ガイド部材２９を下から通して、扉１１を上下反転させるように扉保持部材１３に沿って移動させ、被ガイド部材２９をガイド部１３ａに移動する。これにより、扉１１の表側を前側に向ける。  
次に、扉保持部材係止ブラケット３５の筒部材３７を、扉保持部材１３の係合部１３ｂに下から挿入し、扉保持部材係止ブラケット３５を支柱３の被係止部３ａに係止する。  
尚、棚板５への扉保持部材１３及び扉１１の取り付けは、支柱３に棚板５を取り付けた状態で行っても良いし、扉保持部材１３及び扉１１を棚板５に取り付けた後、棚板５を支柱３に取り付けた棚板ブラケット５ａに載置しても良い。  
【００１３】
次に、扉１１の開閉について説明する。  
図１（ａ）に示すように、扉１１が閉じ状態にあるときには、扉１１の下端１１ａは、棚板５の左右に取付けてある扉受け３１に載置してあり、且つ扉係合部３１ａにより扉１１の下端１１ａが前側へ移動するのを規制している。尚、扉の閉じ状態では、左右の棚受け３１間では、扉１１の下端１１ａは棚板５の載置面よりも前側に位置している。  
図１（ｂ）に示すように、扉１１を開くときには、扉１１の下端１１ａを手で上方（矢印Ｓ方向）に少し押し上げて、扉１１の下端１１ａを扉受け３１の扉係合部３１ａの上端を超える上方位置へ移動した後、扉１１の下端１１ａを前方（矢印Ｔ方向）にずらして、棚板よりも前側に移動し、扉１１を自重により下方に落とすように手で支えながら下げる。これにより、扉１１は腕部２５の係合部２７が扉保持部材１３のガイド部１３ａにガイドされて下方に移動し、腕部２５が扉受け３１の扉係合部３１ａの上端に当接して係止したところで、手を放して、扉１１を開き状態にする。  
一方、扉１１を開き位置から閉じるときには、上述した扉１１を閉じ位置から開き位置へ操作するのとは反対に、扉１１の下端１１ａを手で押し上げ、扉１１の下端１１ａが扉受け３１の扉係合部３１ａの上端を超えたところで、扉１１の下端１１ａを後方へずらして扉受け３１の扉係合部３１ａを乗り越えたところで、棚板５の扉受け３１に載置する。
【００１４】
図１（ａ）に示すように、第１実施の形態にかかる陳列棚１によれば、最上段７ａ（図６参照）では、扉１１で棚板５に載せてある補充品を隠しているので見栄えが良い。  
図１（ｂ）に示すように、閉じ位置にある扉１１を開くときには、扉１１の下端１１ａを押し上げて棚板５よりも前側へずらすことで、腕部２５の係合部２７を扉保持部材１３のガイド部１３ａに沿って下方にスライドして扉１１を開き、扉１１を閉じるときには、扉の下端１１ａを押し上げて棚板５の扉受け３１に載せることで扉１１を閉じることができるから、扉１１の開閉操作が容易にできる。  
特に、扉１１の開閉は扉１１の下端１１ａを棚板５から外したり押し上げたりする操作するだけなので、扉１１が高い位置にある場合でも手が届き易く、操作性が良い。  
【００１５】
扉保持部材１３は、ガイド部１３ａの下端を扉受け３１を介して棚板５の上面に取り付けてあり、上端部を扉保持部材ブラケット３５を介して支柱３に係止してあるから、簡易な構成で且つ組み付けが容易にできる。  
棚板５は扉受け３１を有し、扉受け３１は棚板５の両端にのみ設けてあるので、扉受け３１間では、扉１１の下端１１ａが露出しているので、扉１１の下端１１ａを操作するときに棚板５が邪魔にならないので、操作性が良い。  
扉受け３１に扉係合部３１ａを設けて、閉じ状態にある扉１１の移動を規制しているので、地震等の揺れが生じたときに、扉１１の下端１１ａが前側に移動して扉がかってに開くのを防止できる。  
扉１１は後方に突設する腕部２５を有し、腕部２５の後端部が扉保持部材１３に係合しており、扉１１が開き位置にあるときに、腕部２５が棚板５に取付けてある扉受け３１に当接して開き位置を保持するから、扉１１を開き位置で保持するためにヒンジ等の部品を必要としないので、この点においても構成が簡易である。  
また、扉１１は上下にスライドすることで開き位置と閉じ位置にすることができ、扉を垂直軸を中心にして左右に回転する観音開きにする場合に比較して、扉１１を開いたときに扉１１が左右の陳列棚に干渉するのを防止できる。  
更に、扉１１の上端部にヒンジを設けてヒンジの水平軸を回転中心として開閉する場合に比較して、扉１１を閉じ位置から開くときに扉１１の下端１１ａを高く持ち上げる必要がないので、この点においても扉１１を開閉操作しやすい。  
扉保持部材１３は、扉１１の上下移動を案内するガイド部１３ａを有し、ガイド部１３ａは、下側を上側よりも前方にして上下方向に傾斜しているから、ガイド部１３ａを垂直にした場合に比較して、扉１１を開くときに扉１１の重量をガイド部１３ａにあずけながら扉１１を下げることができ、扉を支える力を軽減ができる。  
陳列棚１に設けた収納庫９は、扉１１と、扉保持部材１３とで構成してあり、扉保持部材１３は一端を棚板５に予め設けてある仕切り板取付用の被取付け孔部５ｂを利用して取り付けることができ、他端を支柱３に予め形成してある被係止部３ａに取り付けた扉保持部材ブラケット３５の筒部材３７に取り付けることができるので、既存の陳列棚に特別な加工をすることなく、簡単な構成で且つ少ない部品点数で容易に後付けできる。  
扉保持部材１３は、線材で形成しているので、製造が容易で且つ嵩張らないので取扱い易い。  
【００１６】
本発明は、上述した実施の形態に限らず、本発明の要旨を逸脱しない範囲で種々変形可能である。  
例えば、図７に示すように、扉保持部材１３は、係合部１３ｂを設けないで、前後に傾斜したガイド部１３ａのみとしてもよい。この場合には、ガイド部１３ａの上端部にはキャップ４１を装着して、扉１１の開閉時にガイド部１３ａから腕部２５が外れるのを防止することが望ましい。  
本発明にかかる陳列棚１は、支柱３、３間に設けることに限らず、棚板５や扉保持部材１３を壁体に取り付けるものであっても良い。  
扉保持部材１３は、下端を扉受け３１に取付けることなく、棚板５に直接取り付けても良い。また、扉保持部材１３の係合部１３ｂはブラケットを介さずに支柱３の被係止部３ａに直接係止しても良い。  
棚板５には、扉受け３１を設けることなく、起立片を形成したり、凸部を設けて、扉１１の下端１１ａの移動を規制するものであっても良い。また、棚板５に扉１１の下端１１ａを嵌め込む溝を形成しても良い。  
扉保持部材１３は線材に限らず、下側ほど前側にして上下方向に傾斜した溝部を有する側板とし、扉１１には溝部にスライド自在に係合する凸部を設ける構成であっても良い。
扉１１及び扉保持部材１３は、陳列棚１の最上段に取り付けて収納庫９にすることに限らず、上から２段目、３段目等の任意の位置の棚板５に取り付けて収納庫９にしても良い。  
【符号の説明】
【００１７】
１    陳列棚
５    棚板
１１  扉
１１ａ  下端
１３  扉保持部材
【図１】
0006463144.tif 000002
【図２】
0006463144.tif 000003
【図３】
0006463144.tif 000004
【図４】
0006463144.tif 000005
【図５】
0006463144.tif 000006
【図６】
0006463144.tif 000007
【図７】
0006463144.tif 000008